(57)【特許請求の範囲】
【請求項１】
洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に水を給水する給水弁と、前記外槽内の水位を検知する水位検知手段と、前記洗濯兼脱水槽内の洗濯物の量を検知する布量検知手段と、前記水位検知手段および布量検知手段からの情報を入力し前記駆動手段および給水弁などの動作を制御することで洗濯、すすぎ、脱水などの一連の行程を逐次制御する制御手段と、前記洗濯兼脱水槽と前記外槽との間に洗剤を直接投下させる手段とを備え、前記制御手段は、洗濯行程開始時において、前記給水弁を作動させて給水を行うと同時に、前記駆動手段を駆動して前記洗濯兼脱水槽が第１の所定回転数より低い回転数で回転するように制御し、前記水位検知手段が前記布量検知手段により検知した洗濯物の量に対応する洗濯時の水位より低い第１の所定水位を検知すると前記給水弁の動作を停止するとともに、前記駆動手段を駆動して前記洗濯兼脱水槽が前記第１の所定回転数で第１の所定時間の間回転するように制御することで前記洗濯兼脱水槽と前記外槽との間の洗剤を溶解させる行程を実行するようにし、前記布量検知手段により洗濯物の量が多いと検知した場合には、前記第１の所定時間の洗剤を溶解させる行程を第２の所定時間の間、間欠で複数回実行するようにした洗濯機。
【請求項２】
洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に水を給水する給水弁と、前記外槽内の水位を検知する水位検知手段と、前記洗濯兼脱水槽内の洗濯物の量を検知する布量検知手段と、前記水位検知手段および布量検知手段からの情報を入力し前記駆動手段および給水弁などの動作を制御することで洗濯、すすぎ、脱水などの一連の行程を逐次制御する制御手段と、前記洗濯兼脱水槽と前記外槽との間に洗剤を直接投下させる手段とを備え、前記制御手段は、洗濯行程開始時において、前記給水弁を作動させて給水を行うと同時に、前記駆動手段を駆動して前記洗濯兼脱水槽が第１の所定回転数より低い回転数で回転するように制御し、前記水位検知手段が前記布量検知手段により検知した洗濯物の量に対応する洗濯時の水位より低い第１の所定水位を検知すると前記給水弁の動作を停止するとともに、前記駆動手段を駆動して前記洗濯兼脱水槽が前記第１の所定回転数で第１の所定時間の間回転するように制御することで前記洗濯兼脱水槽と前記外槽との間の洗剤を溶解させる行程を実行するようにし、前記布量検知手段により洗濯物の量が多いと検知した場合には、前記第１の所定回転数をそれより高い第２の所定回転数とし、前記布量検知手段により洗濯物の量が少ないと検知した場合には、前記第１の所定回転数をそれより低い第３の所定回転数とすることで、前記洗濯兼脱水槽の回転により前記洗濯兼脱水槽と外槽の間の水が上昇し前記洗濯兼脱水槽の上端部の高さを越えて前記洗濯兼脱水槽内に流入することが無いようにした洗濯機。
【発明の詳細な説明】
【０００１】
【発明の属する技術分野】
本発明は、洗剤を効率的に溶解させて洗濯する洗濯機に関する。
【０００２】
【従来の技術】
従来、洗濯機は図６に示すように構成していた。以下、その構成について説明する。
【０００３】
図６に示すように、外槽２６は、底部に撹拌翼２７を回転自在に配設した洗濯兼脱水槽２８を内包し、吊り棒２９により洗濯機外枠３０に吊り下げている。モータ３１は、Ｖベルト３２および減速機構兼クラッチ３３を介して、撹拌翼２７または洗濯兼脱水槽２８を駆動する。排水弁３４は洗濯兼脱水槽２８内の洗濯水を排水し、給水弁３５は洗濯兼脱水槽２８内に給水するものである。
【０００４】
洗濯兼脱水槽２８には脱水時の振動を低減させるための流体バランサー３６を設け、洗濯兼脱水槽２８の上部には蓋３７を配設している。制御装置３８は、モータ３１、排水弁３４、給水弁３５などを制御して、洗濯、すすぎ、脱水の各行程を逐次制御するものである。
【０００５】
上記構成において動作を説明すると、洗濯兼脱水槽２８に洗濯物と所定量の洗剤を投入した後、動作を開始すると制御装置３８により給水弁３５を制御して洗濯兼脱水槽２８内に所定量の水を給水し、その後制御装置３８により、モータ３１を制御して撹拌翼２７を駆動する。撹拌翼２７の回転によって洗濯兼脱水槽２８内の洗濯物と水とが撹拌され、この攪拌によって洗剤を徐々に溶解して洗濯水となり、洗濯物の汚れに作用することとなる。
【０００６】
【発明が解決しようとする課題】
しかしながら、この構成の洗濯機の場合、投入された洗剤を溶解するために、撹拌翼２７を高速で回転させて洗濯物や水を攪拌するのが一般的であり、この場合、洗濯物に過度の機械力が加わり、洗濯物を傷めていまうという問題を有していた。
【０００７】
本発明は上記課題を解決するもので、洗濯行程前に洗剤溶解性を高めることで、洗濯物を傷めることなく、洗浄性能を向上し、洗いむらを低減するとともに、洗濯時間を短縮することを目的としている。
【０００８】
【課題を解決するための手段】
本発明は上記目的を達成するために、洗濯物を収容する洗濯兼脱水槽を外槽に回転自在に収容して駆動手段により回転駆動し、給水弁により洗濯兼脱水槽内に水を給水し、水位検知手段により外槽内の水位を検知し、布量検知手段により洗濯兼脱水槽内の洗濯物の量を検知し、制御手段により水位検知手段および布量検知手段からの情報を入力し駆動手段および給水弁などの動作を制御することで洗濯、すすぎ、脱水などの一連の行程を逐次制御するとともに、洗濯兼脱水槽と外槽との間に洗剤を投下させるよう構成し、制御手段は、洗濯行程開始時において、給水弁を作動させて給水を行うと同時に、前記駆動手段を駆動して前記洗濯兼脱水槽が第１の所定回転数より低い回転数で回転するように制御し、水位検知手段が布量検知手段により検知した洗濯物の量に対応する洗濯時の水位より低い第１の所定水位を検知すると給水弁の動作を停止するとともに、駆動手段を駆動して洗濯兼脱水槽が前記第１の所定回転数で第１の所定時間の間回転するように制御することで洗濯兼脱水槽と外槽との間の洗剤を溶解させる行程を実行するようにし、布量検知手段により洗濯物の量が多いと検知した場合には、第１の所定時間の洗剤を溶解させる行程を第２の所定時間の間、間欠で複数回実行するようにしたものである。
【０００９】
これにより、洗濯行程前に洗剤溶解性を高めることができ、洗濯物を傷めることなく、洗浄性能を向上し、洗いむらを低減できるとともに、洗濯時間を短縮することでき、さらに、布量検知手段により検知した布量に応じた洗剤量によって洗濯兼脱水槽の回転により洗濯兼脱水槽と外槽との間の洗剤を溶解させる行程の回数を変更することにより、より洗剤の溶解を効率的に行うことができ、洗浄性能を向上し、洗いむらを低減することができるとともに、モータにかかる負荷を軽減することができる。
【００１０】
【発明の実施の形態】
本発明の請求項１に記載の発明は、洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に水を給水する給水弁と、前記外槽内の水位を検知する水位検知手段と、前記洗濯兼脱水槽内の洗濯物の量を検知する布量検知手段と、前記水位検知手段および布量検知手段からの情報を入力し前記駆動手段および給水弁などの動作を制御することで洗濯、すすぎ、脱水などの一連の行程を逐次制御する制御手段と、前記洗濯兼脱水槽と前記外槽との間に洗剤を直接投下させる手段とを備え、前記制御手段は、洗濯行程開始時において、前記給水弁を作動させて給水を行うと同時に、前記駆動手段を駆動して前記洗濯兼脱水槽が第１の所定回転数より低い回転数で回転するように制御し、前記水位検知手段が前記布量検知手段により検知した洗濯物の量に対応する洗濯時の水位より低い第１の所定水位を検知すると前記給水弁の動作を停止するとともに、前記駆動手段を駆動して前記洗濯兼脱水槽が前記第１の所定回転数で第１の所定時間の間回転するように制御することで前記洗濯兼脱水槽と前記外槽との間の洗剤を溶解させる行程を実行するようにし、前記布量検知手段により洗濯物の量が多いと検知した場合には、前記第１の所定時間の洗剤を溶解させる行程を第２の所定時間の間、間欠で複数回実行するようにしたものであり、布量検知手段により検知した布量に応じた洗剤量によって洗濯兼脱水槽の回転により洗濯兼脱水槽と外槽との間の洗剤を溶解させる行程の回数を変更することにより、より洗剤の溶解を効率的に行うことができ、洗浄性能を向上し、洗いむらを低減することができるとともに、モータにかかる負荷を軽減することができる。
【００１１】
請求項２に記載の発明は、洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に水を給水する給水弁と、前記外槽内の水位を検知する水位検知手段と、前記洗濯兼脱水槽内の洗濯物の量を検知する布量検知手段と、前記水位検知手段および布量検知手段からの情報を入力し前記駆動手段および給水弁などの動作を制御することで洗濯、すすぎ、脱水などの一連の行程を逐次制御する制御手段と、前記洗濯兼脱水槽と前記外槽との間に洗剤を直接投下させる手段とを備え、前記制御手段は、洗濯行程開始時において、前記給水弁を作動させて給水を行うと同時に、前記駆動手段を駆動して前記洗濯兼脱水槽が第１の所定回転数より低い回転数で回転するように制御し、前記水位検知手段が前記布量検知手段により検知した洗濯物の量に対応する洗濯時の水位より低い第１の所定水位を検知すると前記給水弁の動作を停止するとともに、前記駆動手段を駆動して前記洗濯兼脱水槽が前記第１の所定回転数で第１の所定時間の間回転するように制御することで前記洗濯兼脱水槽と前記外槽との間の洗剤を溶解させる行程を実行するようにし、前記布量検知手段により洗濯物の量が多いと検知した場合には、前記第１の所定回転数をそれより高い第２の所定回転数とし、前記布量検知手段により洗濯物の量が少ないと検知した場合には、前記第１の所定回転数をそれより低い第３の所定回転数とすることで、前記洗濯兼脱水槽の回転により前記洗濯兼脱水槽と外槽の間の水が上昇し前記洗濯兼脱水槽の上端部の高さを越えて前記洗濯兼脱水槽内に流入することが無いようにしたものであり、布量および洗剤量によって洗濯兼脱水槽の回転により洗濯兼脱水槽と外槽との間の洗剤を溶解させる行程の回転数を変更することにより、より洗剤の溶解を効率的に行うことができ、洗浄性能を向上し、洗いむらを低減することができるとともに、時間の短縮をすることができ、また、溶解されていない洗剤の洗濯兼脱水槽内への流入を防ぐことができる。
【００１２】
【実施例】
以下、本発明の実施例について、図面を参照しながら説明する。
【００１３】
（実施例１）
図１に示すように、外槽１は、回転自在に配設した洗濯兼脱水槽２を内包し、吊り棒３により洗濯機外枠４に吊り下げている。モータ（駆動手段）５は、Ｖベルト６および減速機構７を介して洗濯兼脱水槽２および洗濯兼脱水槽２の内底部に回転自在に配設した攪拌翼８を回転駆動する。カバー体９は、外槽１の上部に設け、散水用の吐出部を形成するものである。
【００１４】
給水弁１０は、洗濯兼脱水槽２内に水を給水するものであり、水位検知手段１１は、外槽１内の水位を検知するもので、排水弁１２は外槽１内の洗濯水を排水するものである。洗剤通路部１３は上方から粉末合成洗剤（液体洗剤でも可）などを投入することにより、洗剤を外槽１と洗濯兼脱水槽２との間に落下させるよう構成しており、洗剤を直接投下させる手段を形成している。環状の流体バランサー１４は脱水時の振動を低減するものである。
【００１５】
制御装置１５は、図２に示すように構成しており、制御手段１６は、マイクロコンピュータで構成し、パワースイッチング手段１７を介してモータ５、給水弁１０、排水弁１２などの動作を制御し、洗濯、すすぎ、脱水などの一連の行程を逐次制御する。入力設定手段１８は、運転コース等を設定するもので、制御手段１６は入力設定手段１８からの情報を入力して、その情報を基に表示手段１９で表示して使用者に知らせる。記憶手段２０は、制御手段１６により制御するのに必要なデータを記憶している。なお、２１は商用電源、２２は電源スイッチである。
【００１６】
ここで、制御手段１６は、給水行程途中の所定水位Ｓ１において、洗濯兼脱水槽２の回転により外槽１と洗濯兼脱水槽２との間の洗剤を溶解させる行程を有している。
【００１７】
上記構成において動作を説明すると、洗濯兼脱水槽２内に洗濯物を投入し、洗剤通路部１３に洗剤を投入した後、運転を開始すると、制御手段１４によって、給水弁１０を作動させて給水を開始し、同時に、図３に示すように、洗濯兼脱水槽２が回転を始める。水位検知手段１１が所定水位Ｓ１を検知すると、給水弁１０の動作を停止し、洗濯兼脱水槽２の回転数を所定回転数Ｒ１まで上昇させる。洗濯兼脱水槽２の回転数が上昇することにより、外槽１と洗濯兼脱水槽２との間の洗剤（洗濯水）を攪拌する攪拌する力が増大し、外槽１と洗濯兼脱水槽２との間の洗剤は溶解される。洗濯兼脱水槽２の回転を所定時間Ｔ１行い、洗濯兼脱水槽２の回転を停止させ、再び給水弁１０を作動させて給水を開始し、水位検知手段１１が洗濯時の水位Ｓａを検知すると給水弁１０の動作を停止し、攪拌翼８を動作させ、洗濯行程を開始する。
【００１８】
このように、給水行程途中の所定水位Ｓ１において、洗濯兼脱水槽２の回転により外槽１と洗濯兼脱水槽２との間の洗剤を溶解させる行程を有しているので、洗濯行程前に洗剤溶解性を高めることができ、洗濯物を傷めることなく、洗浄性能を向上し、洗いむらを低減するとともに、洗濯時間を短縮することができる。
【００１９】
なお、本実施例では、洗濯時の水位Ｓａを検知すると、攪拌翼８を動作させて洗濯行程を開始するよう構成しているが、洗濯行程で、洗濯兼脱水槽２を回転させて、その遠心力により洗濯水を循環させて洗濯するようにしてもよい。
【００２０】
（実施例２）
図４に示すように、回転検知手段２３はホールＩＣなどで構成し、モータ５に取り付けている。布量検知手段２４は、洗濯兼脱水槽２内の洗濯物の量を検知するもので、回転検知手段２３の出力を入力し、洗濯兼脱水槽２内に洗濯物を投入した状態でモータ５により攪拌翼８を駆動した後、駆動を停止したときの攪拌翼８の回転数の低下度合いにより洗濯兼脱水槽２内の洗濯物の量を検知する。制御手段２５は、布量検知手段２４の信号を受けて複数存在する洗濯水位をどの水位に設定するか決定し、その水位を表示手段１９で表示し、布量検知後に給水および洗濯兼脱水槽２の回転を開始するようにしている。
【００２１】
また、制御手段２５は、布量検知手段２４の出力に応じて、洗濯兼脱水槽２の回転により洗濯兼脱水槽２と外槽１との間の洗剤を溶解させる行程の有無を変更可能としている。他の構成は上記実施例１と同じである。
【００２２】
上記構成において動作を説明すると、洗濯兼脱水槽２内に洗濯物を投入した後、運転を開始すると、制御手段２５によってモータ５が作動して攪拌翼８が攪拌され、洗濯物を一定時間攪拌する。このとき、回転検知手段２３に生じる信号は布量検知手段２４に送られ、その信号によって洗濯兼脱水槽２内の洗濯物の布量を検知する。布量検知手段２４によって洗濯物の量を検知した後、制御手段２５は洗濯物の量に応じた洗濯時の水位を設定し、その水位を表示手段１９で表示する。使用者は表示手段１９で表示される洗濯時の水位に応じた洗剤を洗剤通路部１３に投入する。
【００２３】
ここで、洗濯兼脱水槽２内の洗濯物の量が少ないと検知し、洗濯時の水位が低い水位に設定された場合、投入される洗剤量は少なく、洗剤は洗濯行程中に攪拌翼８を回転させて洗濯物や水を攪拌することで容易に溶解できるため、洗濯兼脱水槽２の回転により洗濯兼脱水槽２と外槽１との間の洗剤を溶解させる行程は行わないことで、時間の短縮をすることができる。
【００２４】
（実施例３）
図４における制御手段２５は、布量検知手段２４の出力に応じて、洗濯兼脱水槽２の回転により洗濯兼脱水槽２と外槽１との間の洗剤を溶解させる行程を実行する水位を変更可能としている。他の構成は上記実施例２と同じである。
【００２５】
上記構成において動作を説明すると、洗濯兼脱水槽２内の洗濯物の量が多いと検知し、洗濯時の水位が高い水位に設定された場合、投入される洗剤量は多く、所定水位Ｓ１で洗濯兼脱水槽２の回転により洗濯兼脱水槽２と外槽１との間の洗剤を溶解させる行程を行うと、洗剤溶解の効率は悪くなるため、所定水位Ｓ１より高い所定水位Ｓ２で洗濯兼脱水槽２の回転により洗濯兼脱水槽２と外槽１との間の洗剤を溶解させる行程を行うことで、より洗剤の溶解を効率的に行うことができ、洗浄性能を向上し、洗いむらを低減することができる。
【００２６】
（実施例４）
図４における制御手段２５は、布量検知手段２４の出力に応じて、洗濯兼脱水槽２の回転により洗濯兼脱水槽２と外槽１との間の洗剤を溶解させる行程の時間を変更可能としている。他の構成は上記実施例２と同じである。
【００２７】
上記構成において動作を説明すると、洗濯兼脱水槽２内の洗濯物の量が多いと検知し、洗濯時の水位が高い水位に設定された場合、投入される洗剤量は多く、所定時間Ｔ１の洗濯兼脱水槽２の回転では、洗剤は溶けきらないため、洗濯兼脱水槽２と外槽１との間の洗剤を溶解させる行程を所定時間Ｔ１より長い所定時間Ｔ２行うことにより、より洗剤の溶解を効率的に行うことができ、洗浄性能を向上し、洗いむらを低減することができる。
【００２８】
（実施例５）
図４における制御手段２５は、布量検知手段２４の出力に応じて、洗濯兼脱水槽２の回転により洗濯兼脱水槽２と外槽１との間の洗剤を溶解させる行程の回数を変更可能としている。他の構成は上記実施例２と同じである。
【００２９】
上記構成において図５を参照にしながら動作を説明すると、洗濯兼脱水槽２内の洗濯物の量が多いと検知し、洗濯時の水位が高い水位に設定された場合、投入される洗剤量は多く、所定時間Ｔ１の洗濯兼脱水槽２の回転では、洗剤は溶けきらない。そこで、洗濯兼脱水槽２の回転数を所定回転数Ｒ１で一定とし、所定時間Ｔ１より長い所定時間Ｔ２行った場合、モータ５に過大な負荷をかけてしまう。このため、所定時間Ｔ２で洗濯兼脱水槽２の回転により洗濯兼脱水槽２と外槽１との間の洗剤を溶解させる行程の回数を多く、間欠にすることにより、より洗剤の溶解を効率的に行うことができ、洗浄性能を向上し、洗いむらを低減することができるとともに、モータ５にかかる負荷を軽減することができる。
【００３０】
（実施例６）
図４における制御手段２５は、布量検知手段２４の出力に応じて、洗濯兼脱水槽２の回転により洗濯兼脱水槽２と外槽１との間の洗剤を溶解させる行程において、洗濯兼脱水槽２の回転数を変更可能としている。他の構成は上記実施例２と同じである。
【００３１】
上記構成において動作を説明すると、洗濯兼脱水槽２内の洗濯物の量が多いと検知し、洗濯時の水位が高い水位に設定された場合、投入される洗剤量は多く、所定回転数Ｒ１の洗濯兼脱水槽２の回転では、洗剤は溶けきらない。そこで、洗濯兼脱水槽２の回転数を所定回転数Ｒ１より高い回転数Ｒ２にすることにより、外槽１と洗濯兼脱水槽２との間の洗剤（洗濯水）を攪拌する攪拌する力が増え、より洗剤の溶解を効率的に行うことができ、また、洗濯兼脱水槽２と外槽１との間の洗剤を溶解させる行程の時間は所定時間Ｔ１のままでよいため、時間の短縮にもなる。
【００３２】
また、洗濯兼脱水槽２内の洗濯物の量が少ない場合、所定回転数Ｒ１では洗濯兼脱水槽２の回転により洗濯兼脱水槽２と外槽１との間の水が上昇し、洗濯兼脱水槽２の上端部の高さを越えて、外槽１の上部に設けられた散水用の吐出部より洗濯兼脱水槽２内へ溶けきれていない洗剤が流入してしまうため、回転数は所定回転数Ｒ１より低い所定回転数Ｒ０に設定されている。
【００３３】
このように、洗剤量および布量によって洗濯兼脱水槽２の回転により洗濯兼脱水槽２と外槽１との間の洗剤を溶解させる行程の回転数を変更することにより、洗剤の溶解を効率的に行うことができ、洗浄性能を向上し、洗いむらを低減することができるとともに、時間の短縮をすることができ、また、溶解されていない洗剤の洗濯兼脱水槽２内への流入を防ぐことができる。
【００３４】
（実施例７）
図２における制御手段１６は、予約機能を有しており、使用者は洗濯終了時間を設定できるようにしている。また、制御手段１６は予約設定時に、洗濯兼脱水槽２の回転により洗濯兼脱水槽２と外槽１との間の洗剤を溶解させる行程の時間を長くするようにしている。他の構成は上記実施例１と同じである。
【００３５】
上記構成において動作を説明すると、使用者が予約設定した場合（例えば、１２時間後洗濯終了）、洗剤通路部１３から投入された粉末合成洗剤は、洗濯兼脱水槽２の内底部に長時間（例えば、洗濯時間が１時間の場合、１１時間）放置された状態になってしまい、もし、洗濯兼脱水槽２の内底部に水があった場合、粉末合成洗剤は吸湿して固まってしまい非常に溶けにくくなっている。
【００３６】
そのため、予約設定時には洗濯兼脱水槽２の回転により洗濯兼脱水槽２と外槽１との間の洗剤を溶解させる行程の時間を所定時間Ｔ１より長い所定時間Ｔ２にすることで、充分に洗剤の溶解を行うことにより、洗浄性能を向上し、洗いむらを低減することができる。
【００３７】
（実施例８）
図２における制御手段１６は、予約設定時に、洗濯兼脱水槽２の回転により洗濯兼脱水槽２と外槽１との間の洗剤を溶解させる行程の回数を多くするようにしている。他の構成は上記実施例７と同じである。
【００３８】
上記構成において動作を説明すると、予約設定時には粉末合成洗剤は吸湿して固まってしまい非常に溶けにくくなっている。そこで、洗濯兼脱水槽２の回転を所定回転数Ｒ１一定のままで所定時間Ｔ１より長い所定時間Ｔ２行った場合、モータ５に過大な負荷をかけてしまう。そのため、予約設定時には所定時間Ｔ２で洗濯兼脱水槽２の回転により洗濯兼脱水槽２と外槽１との間の洗剤を溶解させる行程の回数を多く、間欠にすることにより、充分に洗剤の溶解を行うことにより、洗浄性能を向上し、洗いむらを低減することができるとともに、モータ５にかかる負荷を軽減することができる。
【００３９】
（実施例９）
図２における制御手段１６は、予約設定時に、洗濯兼脱水槽２の回転により洗濯兼脱水槽２と外槽１との間の洗剤を溶解させる行程において、洗濯兼脱水槽２の回転数を高くするようにしている。他の構成は上記実施例７と同じである。
【００４０】
上記構成において動作を説明すると、予約設定時には粉末合成洗剤は吸湿して固まってしまい非常に溶けにくくなっている。そのため、予約設定時には洗濯兼脱水槽２の回転数をより高い回転数にすることにより、外槽１と洗濯兼脱水槽２との間の洗剤（洗濯水）を攪拌する攪拌する力が増え、充分に洗剤の溶解を行うことにより、洗浄性能を向上し、洗いむらを低減することができるとともに、洗濯兼脱水槽２と外槽１との間の洗剤を溶解させる行程の時間は所定時間Ｔ１のままでよいため、時間の短縮をすることができる。
【００４１】
【発明の効果】
以上のように本発明の請求項１に記載の発明によれば、洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に水を給水する給水弁と、前記外槽内の水位を検知する水位検知手段と、前記洗濯兼脱水槽内の洗濯物の量を検知する布量検知手段と、前記水位検知手段および布量検知手段からの情報を入力し前記駆動手段および給水弁などの動作を制御することで洗濯、すすぎ、脱水などの一連の行程を逐次制御する制御手段と、前記洗濯兼脱水槽と前記外槽との間に洗剤を直接投下させる手段とを備え、前記制御手段は、洗濯行程開始時において、前記給水弁を作動させて給水を行うと同時に、前記駆動手段を駆動して前記洗濯兼脱水槽が第１の所定回転数より低い回転数で回転するように制御し、前記水位検知手段が前記布量検知手段により検知した洗濯物の量に対応する洗濯時の水位より低い第１の所定水位を検知すると前記給水弁の動作を停止するとともに、前記駆動手段を駆動して前記洗濯兼脱水槽が前記第１の所定回転数で第１の所定時間の間回転するように制御することで前記洗濯兼脱水槽と前記外槽との間の洗剤を溶解させる行程を実行するようにし、前記布量検知手段により洗濯物の量が多いと検知した場合には、前記第１の所定時間の洗剤を溶解させる行程を第２の所定時間の間、間欠で複数回実行するようにしたから、布量検知手段により検知した布量に応じた洗剤量によって洗濯兼脱水槽の回転により洗濯兼脱水槽と外槽との間の洗剤を溶解させる行程の回数を変更することにより、より洗剤の溶解を効率的に行うことができ、洗浄性能を向上し、洗いむらを低減することができるとともに、モータにかかる負荷を軽減することができる。
【００４２】
また、請求項２に記載の発明によれば、洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に水を給水する給水弁と、前記外槽内の水位を検知する水位検知手段と、前記洗濯兼脱水槽内の洗濯物の量を検知する布量検知手段と、前記水位検知手段および布量検知手段からの情報を入力し前記駆動手段および給水弁などの動作を制御することで洗濯、すすぎ、脱水などの一連の行程を逐次制御する制御手段と、前記洗濯兼脱水槽と前記外槽との間に洗剤を直接投下させる手段とを備え、前記制御手段は、洗濯行程開始時において、前記給水弁を作動させて給水を行うと同時に、前記駆動手段を駆動して前記洗濯兼脱水槽が第１の所定回転数より低い回転数で回転するように制御し、前記水位検知手段が前記布量検知手段により検知した洗濯物の量に対応する洗濯時の水位より低い第１の所定水位を検知すると前記給水弁の動作を停止するとともに、前記駆動手段を駆動して前記洗濯兼脱水槽が前記第１の所定回転数で第１の所定時間の間回転するように制御することで前記洗濯兼脱水槽と前記外槽との間の洗剤を溶解させる行程を実行するようにし、前記布量検知手段により洗濯物の量が多いと検知した場合には、前記第１の所定回転数をそれより高い第２の所定回転数とし、前記布量検知手段により洗濯物の量が少ないと検知した場合には、前記第１の所定回転数をそれより低い第３の所定回転数とすることで、前記洗濯兼脱水槽の回転により前記洗濯兼脱水槽と外槽の間の水が上昇し前記洗濯兼脱水槽の上端部の高さを越えて前記洗濯兼脱水槽内に流入することが無いようにしたから、布量および洗剤量によって、洗濯兼脱水槽の回転により洗剤を溶解させる行程の回転数を変更することにより、より洗剤の溶解を効率的に行うことができ、洗浄性能を向上し、洗いむらを低減することができるとともに、時間の短縮をすることができ、また、溶解されていない洗剤の洗濯兼脱水槽内への流入を防ぐことができる。
【図面の簡単な説明】
【図１】  本発明の第１の実施例の洗濯機の縦断面図
【図２】  同洗濯機のブロック回路図
【図３】  同洗濯機の要部動作タイムチャート
【図４】  本発明の第２の実施例の洗濯機のブロック回路図
【図５】  本発明の第５の実施例の洗濯機の要部動作タイムチャート
【図６】  従来の洗濯機の縦断面図
【符号の説明】
１  外槽
２  洗濯兼脱水槽
５  モータ（駆動手段）
１３  洗剤通路部（洗剤を投下させる手段）
１６  制御手段
【図１】
0004103226.tif 000002
【図２】
0004103226.tif 000003
【図３】
0004103226.tif 000004
【図４】
0004103226.tif 000005
【図５】
0004103226.tif 000006
【図６】
0004103226.tif 000007